(57)【特許請求の範囲】
【請求項１】
所定の回転角度だけ自在に回転するように支持部材に固定された煽り戸に一端部が取り付けられると共に他端部が前記支持部材に取り付けられたリンク機構と、該リンク機構の動きを規制するばねとを備え、前記煽り戸の開閉を補助する煽り戸開閉補助装置において、
前記ばねは、平均コイル径及び有効コイル長さそれぞれが互いに異なる２本の等ピッチの圧縮コイルばねを同心に組合せたものであって、
前記煽り戸の重さが所定値以上のときは、前記２本の圧縮コイルばねで前記リンク機構の動きを規制し、前記煽り戸の重さが前記所定値未満のときは、前記２本の圧縮コイルばねのうちのいずれか１本の圧縮コイルばねで前記リンク機構の動きを規制するようにばね定数を変化させるばね定数変化手段を備えたことを特徴とする煽り戸開閉補助装置。
【請求項２】
前記ばね定数変化手段は、
前記コイルばねの径方向中心部を該ばねの長手方向に延びると共に、端部にねじが形成された棒状のアームと、
該アームのうち前記ねじが形成された部分に嵌め込まれて、前記コイルばねの長手方向一端に押し付けられた押付プレートと、
前記ねじが形成された部分のうち、前記押付プレートを挟んだ前記コイルばねの前記長手方向一端とは反対の側の部分に嵌め合わされた、前記押付プレートを動かすための調整ナットと、
前記コイルばねの前記長手方向一端とは反対側の他端が当接する固定板とを備えたものであることを特徴とする請求項１に記載の煽り戸開閉補助装置。
【発明の詳細な説明】
【０００１】
【発明の属する技術分野】
本発明は、例えばトラックの荷台用の煽り戸を開閉する際に補助をする煽り戸開閉補助装置に関する。
【０００２】
【従来の技術】
例えばトラックの荷台には、この荷台に積まれた荷物の落下を防止するなどのために煽り戸が取り付けられている。この煽り戸は、一般に、細長い長方形のものであり、その長辺が荷台の縁に回転自在に固定されている。煽り戸はこの長辺を回転軸として、荷台の縁から立ち上がった位置（閉じた位置）と荷台の縁から垂れ下がった位置（開いた位置）との間を回転する。
【０００３】
周知のようにトラックには小型から大型まで種々のサイズのものがあり、通常、そのサイズが大きくなるほど荷台のサイズも大きくなる。また、荷台のサイズが大きくなるほど煽り戸も大きくなり、その分、煽り戸は重くなる。煽り戸の重量は、例えば、５０ｋｇ程度のものから１２０ｋｇを超えるものまで様々である。このような重い煽り戸の開閉を補助する装置として、従来から、リンク機構とばねとで構成された煽り戸開閉補助装置が使用されている。この煽り戸開閉補助装置は煽り戸の長辺の中央部に取り付けられており、重い煽り戸であっても作業者が人力でその煽り戸を開閉できるように構成されている。
【０００４】
従来の煽り戸開閉補助装置は、煽り戸と荷台とに固定された複数本のアームからなるリンク機構と、このリンク機構の動きを規制するばねとが組み込まれたものである。煽り戸を開閉する際は、煽り戸の重量がリンク機構を介してばねに働き、このばねの反発力が煽り戸に作用する。これにより、煽り戸を人力でスムーズかつ安全に開閉できることとなる。
【０００５】
【発明が解決しようとする課題】
ところで、上述したように煽り戸には様々な重量のものがある。従って、様々な重量の煽り戸それぞれを人力でスムーズに開閉するためには、煽り戸開閉補助装置のばねとして、煽り戸の重量に応じた反発力をもつばねを使う必要がある。即ち、軽い煽り戸には反発力の弱いばねを使い、重い煽り戸には反発力の強いばねを使う。このため、煽り戸のスムーズな開閉のためには、反発力の異なる複数種類のばねを用意しておいて煽り戸の重量に応じて煽り戸開閉補助装置のばねを交換したり、もしくは、組み込んだばねの反発力が互いに異なる複数種類の煽り戸開閉補助装置を用意しておいて煽り戸の重量に応じてこの装置を使い分けたりする。
【０００６】
煽り戸の重量に応じてばねを交換する場合、複数種類のばねを用意するので、その分、コストアップになったり交換作業が面倒であったりするという問題がある。また、複数種類の煽り戸開閉補助装置を用意しておく場合も、種類が多いほどコストアップになるという問題がある。さらに、煽り戸に補助的な煽り戸や補強材を追加した場合、既に取り付けた煽り戸開閉補助装置を取り替えたり、組み込まれているばねを取り替えたりするなどの作業が必要となる。この作業は面倒であり、その分、コストがかかるという問題がある。
【０００７】
本発明は、上記事情に鑑み、様々の重量の煽り戸に適切な補助力を発揮できる低コストの煽り戸開閉補助装置を提供することを目的とする。
【０００８】
【課題を解決するための手段】
上記目的を達成するための本発明の煽り戸開閉補助装置は、所定の回転角度だけ自在に回転するように支持部材に固定された煽り戸に一端部が取り付けられると共に他端部が上記支持部材に取り付けられたリンク機構と、このリンク機構の動きを規制するばねとを備え、上記煽り戸の開閉を補助する煽り戸開閉補助装置において、
（１）上記ばねは、荷重の増加に伴ってばね定数が高まる非線形ばねであり、
（２）この非線形ばねのばね定数を変化させるばね定数変化手段を備えた
ことを特徴とするものである。
【０００９】
ここで、
（３）上記非線形ばねは、１本の不等ピッチの圧縮コイルばねからなるものであってもよい。
【００１０】
また、
（４）上記非線形ばねは、平均コイル径及び有効コイル長さそれぞれが互いに異なる２本の等ピッチの圧縮コイルばねを同心に組合せたものであってもよい。
【００１１】
さらに、
（５）上記非線形ばねは、
１つの竹の子ばねからなるものであることを特徴とする請求項１に記載の煽り戸開閉補助装置。
【００１２】
さらにまた、
（６）上記ばね定数変化手段は、
（７）上記コイルばねもしくは上記竹の子ばねの径方向中心部をこのばねの長手方向に延びると共に、端部にねじが形成された棒状のアームと、
（８）このアームのうち上記ねじが形成された部分に嵌め込まれて、上記コイルばねもしくは上記竹の子ばねの長手方向一端に押し付けられた押付プレートと、
（９）上記ねじが形成された部分のうち、上記押付プレートを挟んだ上記コイルばねもしくは上記竹の子ばねの上記長手方向一端とは反対の側の部分に嵌め合わされた、上記押付プレートを動かすための調整ナットと、
（１０）上記コイルばねもしくは上記竹の子ばねの上記長手方向一端とは反対側の他端が当接する固定板と
を備えたものであってもよい。
【００１３】
さらにまた、非線形ばねとして、上記した不等ピッチコイルばね、組合せばね、および竹の子ばねの他、つづみ形コイルばねやたる形コイルばねなどを使ってもよい。
【００１４】
【発明の実施の形態】
以下、図面を参照して本発明の煽り戸開閉補助装置の実施形態を説明する。
【００１５】
［第１実施形態］
図１から図３までを参照して、本発明の煽り戸開閉補助装置の第１実施形態を説明する。
【００１６】
図１は、煽り戸開閉補助装置の第１実施形態を示す側面図であり、図２は、図１の煽り戸開閉補助装置に組み込まれているばねを示す模式図である。図３は、図２のばねのばね特性を表わすグラフであり、縦軸は、ばねに作用する荷重を表わし、横軸は、ばねの撓み量を表わす。
【００１７】
トラックなどの荷台床板（本発明にいう支持部材の一例である）１０の縁に長方形の煽り戸１２が取り付けられている。煽り戸１２は回転軸１２ａを中心に矢印Ａ方向に約１８０°回転して開閉するように構成されている。この煽り戸１２の開閉を補助するために煽り戸開閉補助装置２０が取り付けられている。
【００１８】
煽り戸開閉補助装置２０は、煽り戸１２の長手方向中央部に固定された取付ブラケット２２と、取付ブラケット２２に連結されたリンク機構３０と、リンク機構３０の動きを規制する圧縮コイルばね４０を備えている。
【００１９】
リンク機構３０は、取付ブラケット２２に直接に連結された第１アーム３２と、第１アーム３２に連結された第２アーム３４と、第２アーム３４に連結された第３アーム３６を有する。第１アーム３２は連結軸３２ａを中心にして回転する。第１アーム３２と第２アーム３４は連結軸３４ａを中心にして回転する。第２アーム３４と第３アーム３６は連結軸３６ａを中心にして回転する。また、第２アーム３４は、荷台床板１０の下に固定された固定板１４に、中心軸３４ｂを中心にして回転自在に固定されている。第３アーム３６は棒状であり、その後端部（第２アーム３４から離れた側の部分）には、ねじが切られたねじ部３６ｂが形成されている。
【００２０】
第３アーム３６の長手方向中央部からねじ部３６ｂにかけては、圧縮コイルばね４０が組み込まれている。第３アーム３６は、圧縮コイルばね４０の径方向中心部をその長手方向に延びている。圧縮コイルばね４０の長手方向一端４０ａには押付プレート５０が押し付けられている。この押付プレート５０はねじ部３６ｂに嵌め込まれている。また、ねじ部３６ｂのうち押付プレート５０を挟んだ圧縮コイルばね４０の長手方向一端４０ａとは反対の側の部分には、調整ナット５２が嵌め合わされている。一方、圧縮コイルばね４０の一端４０ａとは反対側の他端４０ｂは固定板１４に当接している。この調整ナット５２を回転させることにより押付プレート５０が動かされ、圧縮コイルばね４０がさらに圧縮されたり伸ばされたりする。
【００２１】
図２に示すように圧縮コイルばね４０は、不等ピッチの圧縮コイルばねである。このため、素線４２の間隔ａ，ｂは互いに異なり、ここでは間隔ｂのほうが間隔ａよりも長い。図１に示す状態の圧縮コイルばね４０では、図３の直線Ｋ１で表わされる傾きの緩やかなばね特性をもつ。調整ナット５２を時計方向に回して圧縮コイルばね４０をさらに圧縮させると、素線４２どおしが接触して有効コイル長さが減少し、図３の直線Ｋ２で表わされる傾きの急なばね特性になる。
【００２２】
直線Ｋ１で表わされるばね特性では、ばねの反発力が小さくて比較的軽い荷重で所定の撓み量が得られる。即ち、軽い荷重でも撓み易い（撓み量が多い）ので、比較的軽い煽り戸１２に対応する。一方、直線Ｋ２で表わされるばね特性では、ばねの反発力が大きくて所定の撓み量を得るためには重い荷重が必要とされる。即ち、軽い荷重では撓みにくくて撓み量が少ないので、比較的重い煽り戸１２に対応する。従って、煽り戸１２が軽いときは調整ナット５２を緩めて圧縮コイルばね４０の有効コイル長さを長くし、一方、煽り戸１２が重いときは調整ナット５２を締めて圧縮コイルばね４０の有効コイル長さを短くする。
【００２３】
このように煽り戸開閉補助装置２０によれば、この煽り戸開閉補助装置２０に組み込まれている調整ナット５２を緩めるか締めるかだけによって圧縮コイルばね４０のばね特性を変えられ、軽い煽り戸にも重い煽り戸にも対応できることとなる。また、ばねの交換作業も必要では無いので低コストで済む。なお、煽り戸１２が開閉される際のリンク機構３０の動きは、後述する第２実施形態で説明する。
【００２４】
［第２実施形態］
図４から図９までを参照して、本発明の煽り戸開閉補助装置の第２実施形態を説明する。
【００２５】
先ず、図４から図６までを参照して、第２実施形態の煽り戸開閉補助装置の構造と動きを説明する。
【００２６】
図４は、煽り戸が閉じている場合における煽り戸開閉補助装置の第２実施形態を示す断面図であり、図５は、煽り戸が約９０°回転した場合における図１の煽り戸開閉補助装置を示す断面図である。図６は、煽り戸が開いた場合における図１の煽り戸開閉補助装置を示す断面図である。これらの図では、図１の構成要素と同一の構成要素には同一の符号が付されている。
【００２７】
第２実施形態の煽り戸開閉補助装置６０の特徴は、図１に示す不等ピッチの圧縮コイルばね４０に代えて、２本の等ピッチの圧縮コイルばね８０，９０を同心に組合せたコイルばね７０を用いた点にある。圧縮コイルばね８０，９０は、平均コイル径や有効コイル長さなどが互いに異なるものである。例えば、外側の圧縮コイルばね８０及び内側の圧縮コイルばね９０それぞれのばね定数を７ｋｇｆ／ｍｍ、３ｋｇｆ／ｍｍとし、有効コイル巻数を６．２５巻き、５巻きとし、平均コイル径を１２０ｍｍ、８０ｍｍとし、素線径を１５ｍｍ、９ｍｍとし、有効コイル長さを２８０ｍｍ、１８０ｍｍとする。この例では、圧縮コイルばね８０，９０の平均コイル径及び有効コイル長さ以外のものも変えたが、少なくとも平均コイル径及び有効コイル長さが互いに異なる圧縮コイルばねであれば良く、これらの数値は煽り戸１２の重さに応じて適宜選択する。
【００２８】
例えば調整ナット５２を反時計方向に回して圧縮コイルばね８０だけが押付プレート５０に当接するようにして、圧縮コイルばね９０を押圧プレート５０から離す。この場合、圧縮コイルばね８０だけがリンク機構３０の動きを規制するばねとして働き、圧縮コイルばね９０は働かない。一方、調整ナット５２を時計方向に回して２つの圧縮コイルばね８０，９０双方を押付プレート５０に当接させた場合、２つの圧縮コイルばね８０，９０がリンク機構３０の動きを規制するばねとして働く。
【００２９】
このようにして調整ナット５２を緩めるか締めるかによって、リンク機構３０の動きを規制する圧縮コイルばねの個数を変えることにより、コイルばね７０のばね特性を変えられる。圧縮コイルばね８０だけを働かせる場合は、コイルばね７０の反発力が小さいので、比較的軽い荷重で所定の撓み量が得られる。即ち、軽い荷重でも撓み易い（撓み量が多い）ので、比較的軽い煽り戸１２に対応する。一方、圧縮コイルばね８０，９０を働かせる場合は、コイルばね７０の反発力が大きいので、所定の撓み量を得るためには重い荷重が必要とされる。即ち、軽い荷重では撓みにくくて撓み量が少ないので、比較的重い煽り戸１２に対応する。
【００３０】
このように煽り戸開閉補助装置６０によれば、この煽り戸開閉補助装置６０に組み込まれている調整ナット５２を緩めるか締めるかだけによって圧縮コイルばね７０のばね特性を変えられ、軽い煽り戸１２にも重い煽り戸１２にも対応できることとなる。また、ばねの交換作業も必要では無いので低コストで済む。
【００３１】
煽り戸１２を開閉する際にリンク機構３０の動きを規制するコイルばね７０の働きを説明する。ここでは、２つの圧縮コイルばね８０，９０双方を押付プレート５０に当接させた場合を例にして説明する。
【００３２】
煽り戸１２が閉じられている状態では、図４に示すように、圧縮コイルばね８０，９０は矢印Ｂ方向に伸びようとし、これにより、連結軸３６ａを矢印Ｂ方向に移動させる力が働く。この力によって、第２アーム３４が中心軸３４ｂを中心にして矢印Ｃ方向に回転しようとすると共に、連結軸３４ａが矢印Ｄ方向に移動しようとする。このため、第１アーム３２を矢印Ｅ方向に押し上げる力が働き、連結軸３２ａによって矢印Ｆ方向の力（補助力）が煽り戸１２に働き、煽り戸１２は内側に押し付けられて煽り戸１２が閉じた状態に保持される。
【００３３】
煽り戸１２を開けている途中では、図５に示すように、煽り戸１２の重さによって取付ブラケット２２に矢印Ｇ方向の力が働く。一方、図４の場合と同様に圧縮コイルばね８０，９０は矢印Ｂ方向に伸びようとしており、連結軸３４ａに矢印Ｈ方向の力が働く。この結果、連結軸３２ａによって取付ブラケット２２及び煽り戸１２を押し上げる力（補助力）が働く。従って、煽り戸１２を開けている作業者には、煽り戸１２の重さから補助力を引いた力しか作用しない。即ち、煽り戸１２を開ける際の力が少なくて済み、重い煽り戸１２であっても人力でスムーズに開けられる。
【００３４】
煽り戸１２を完全に開けた状態では、図６に示すように、図４の場合と同様に圧縮コイルばね８０，９０は矢印Ｂ方向に伸びようとしており、連結軸３４ａに矢印Ｉ方向の力が働く。この結果、連結軸３２ａによって取付ブラケット２２及び煽り戸１２を閉じようとする力（補助力）が働く。しかし、この補助力は煽り戸１２の重さよりも小さいので、煽り戸１２は完全に開いた状態を保つ。
【００３５】
図６に示すように煽り戸１２が完全に開いた状態から煽り戸１２を閉じる場合は、圧縮コイルばね８０，９０によって煽り戸１２を閉じようとする補助力が働いているので、煽り戸１２を閉じる際の力が少なくて済み、重い煽り戸１２であっても人力でスムーズに閉じることができる。
【００３６】
図７と図８を参照して、コイルばね７０とそのばね特性を説明する。
【００３７】
図７は、第２実施形態の煽り戸開閉補助装置に組み込まれているコイルばねを示す模式図であり、図８は、図７のコイルばねのばね特性を表わすグラフである。
【００３８】
上述したようにコイルばね７０は、等ピッチの圧縮コイルばね８０と等ピッチの圧縮コイルばね９０とが組み合わされたものである。図７に示すように、圧縮コイルばね８０の有効コイル長さをＬ１とし、圧縮コイルばね９０の有効コイル長さをＬ２とする。ここでは、Ｌ１をＬ２よりも長くした。また、煽り戸の重さに応じて調整ナット５２（図４参照）を時計方向もしくは反時計方向に回転させて調整する有効コイル長さを調整ストロークと呼び、煽り戸を開閉する際にコイルばねが伸縮する長さを作動ストロークと呼ぶ。圧縮コイルばね８０の調整ストロークはａ１で表わされ、作動ストロークはａ２で表わされる。２つの圧縮コイルばね８０，９０の調整ストロークはｂ１で表わされ、作動ストロークはｂ２で表わされる。
【００３９】
調整ナット５２（図４参照）を反時計方向に回して緩め、調整ストロークをａ１の範囲内にしておく場合、上述したように、圧縮コイルばね８０だけがリンク機構３０の動きを規制する。この場合のばね特性は軽い煽り戸（例えば４０ｋｇ以上６０ｋｇ未満の重さ）に適し、図８に示すようにｋ３で表わされる直線になる。また、このときの作動ストロークは、図８に示す斜線Ａ２の範囲内となる。なお、調整ストロークａ１の範囲内では、軽い煽り戸のなかでも軽いほど調整ナット５２を緩め、煽り戸が重いほど調整ナット５２を締める。
【００４０】
一方、調整ナット５２（図４参照）を時計方向に回して締め、調整ストロークをｂ１の範囲内にしておく場合、上述したように、２つの圧縮コイルばね８０，９０がリンク機構３０の動きを規制する。この場合のばね特性は重い煽り戸（例えば６０ｋｇ以上１００ｋｇ未満の重さ）に適し、図８に示すようにｋ４で表わされる直線になる。また、このときの作動ストロークは、図８に示す斜線Ｂ２の範囲内となる。なお、調整ストロークｂ１の範囲内では、重い煽り戸のなかでも軽いほど調整ナット５２を緩め、煽り戸が重いほど調整ナット５２を締める。
【００４１】
図９を参照して、煽り戸を開閉する際の操作力を説明する。
【００４２】
図９は、煽り戸開角度と操作力の関係を示すグラフであり、縦軸は操作力（ｋｇｆ）を表わし、横軸は煽り戸開角度を表わす。ここでは、５０ｋｇから８０ｋｇまでの範囲内の重さの煽り戸１２に煽り戸開閉補助装置６０を用いた場合を示す。操作力とは、煽り戸を開閉する際に作業者が発揮する力をいう。煽り戸開角度０°は、図４に示すように、煽り戸１２が完全に閉じたときの角度をいい、煽り戸開角度９０°は、図５に示すように、荷台床板１０と煽り戸１２が平行になったときの角度をいい、煽り戸開角度１８０°は、図６に示すように、煽り戸１２が完全に開いたときの角度をいう。なお、図９には、煽り戸開閉補助装置が無いときの操作力（二点鎖線９２で表わす）と、従来の煽り戸開閉補助装置を用いたときの操作力（破線９４で表わす）を参考として示す。ここでいう従来の煽り戸開閉補助装置は、軽い煽り戸（例えば５０ｋｇ未満）であれば適切に使用できるものをいう。
【００４３】
煽り戸開閉補助装置６０によれば、図９の実線９６で表わすように、煽り戸開角度が０°のときは操作力がマイナスになっている。この状態は、上述したように、煽り戸１２が内側に向けて押し付けられていることを表わす。煽り戸１２を徐々に開けると、操作力も徐々に増えていく。しかし、煽り戸開閉補助装置６０を使用しているので、煽り戸１２を完全に開けるまでには約６ｋｇｆ未満の操作力で済む。一方、従来の煽り戸開閉補助装置では、最高で２０ｋｇｆ程度の操作力が必要とされる。また、煽り戸開閉補助装置が無いときは、最高で４０ｋｇｆ程度の操作力が必要とされる。このように、煽り戸開閉補助装置６０によれば、調整ナット５２を調整するだけで様々な重量の煽り戸１２に適切な補助力を発揮できる。
【００４４】
［第３実施形態］
図１０を参照して、本発明の煽り戸開閉補助装置の第３実施形態を説明する。
図１０は、第３実施形態の煽り戸開閉補助装置に組み込まれた竹の子ばねを示す、（ａ）は正面図、（ｂ）は側面図である。
【００４５】
第３実施形態の煽り戸開閉補助装置の特徴は、圧縮コイルばね４０（図１参照）に代えて、竹の子ばねを用いた点にある。
【００４６】
軸方向（矢印Ｋ方向）がねじ部３６ｂに並行になるように竹の子ばね１００に第３アームを差し込み、先端１０２を押付プレート５０に当接させる。調整ナット５２を反時計方向に回すと竹の子ばね１００の高さｈが高くなり、そのばね特性が低下する。このばね特性では、比較的軽い荷重で所定の撓み量が得られる。即ち、軽い荷重でも撓み易い（撓み量が多い）ので、比較的軽い煽り戸１２に対応する。一方、調整ナット５２を時計方向に回すと竹の子ばね１００の高さｈが低くなり、そのばね特性が高まる。このばね特性では、所定の撓み量を得るためには、重い荷重が必要とされる。即ち、軽い荷重では撓みにくくて撓み量が少ないので、比較的重い煽り戸１２に対応する。従って、煽り戸１２が軽いときは調整ナット５２を緩めて竹の子ばね１００の高さｈを高くし、一方、煽り戸１２が重いときは調整ナット５２を締めて竹の子ばね１００の高さを低くする。
【００４７】
このように竹の子ばね１００を用いても、調整ナット５２を緩めるか締めるかだけによって竹の子ばね１００のばね特性を変えられ、軽い煽り戸１２にも重い煽り戸１２にも対応できることとなる。また、ばねの交換作業も必要では無いので低コストで済む。
【００４８】
【発明の効果】
以上説明したように本発明の煽り戸開閉補助装置によれば、煽り戸の重さに対応させて非線形ばねのばね定数をばね定数変化手段で変えることができる。例えば、重い煽り戸のときはばね定数を高め、軽い煽り戸のときはばね定数を低める。これにより、１台の煽り戸開閉補助装置で様々な重さの煽り戸に容易に対応できる。従って、煽り戸の重さに応じて複数種類の煽り戸開閉補助装置を用意しておく必要が無く、低コストで済む。
【００４９】
ここで、上記非線形ばねが、１本の不等ピッチの圧縮コイルばねからなるものである場合は、１本の不等ピッチ圧縮コイルばねを用いるので、煽り戸開閉補助装置をシンプルな構成にできる。
【００５０】
また、上記非線形ばねが、平均コイル径及び有効コイル長さそれぞれが互いに異なる２本の等ピッチの圧縮コイルばねを同心に組合せたものである場合は、２本の等ピッチ圧縮コイルばねの組合せを適切に予め選択しておくことにより、ばね定数が幅広く変わる非線形ばねを得ることができ、重量が広範囲にわたって変化してもそれぞれの重さの煽り戸に容易に対応できることとなる。
【００５１】
さらに、上記非線形ばねが、１つの竹の子ばねからなるものである場合は、竹の子ばねを用いるので比較的省スペース化でき、その分、煽り戸開閉補助装置を小型にできる。
【００５２】
さらにまた、上記ばね定数変化手段が、請求項５に記載したものである場合は、調整ナットを動かして押付プレートをコイルばねもしくは竹の子ばねの長手方向一端に押し付け、このばねの有効長さを変えることによりそのばね定数を容易に変化させられる。従って、取り扱いの容易なばね定数変化手段が得られる。
【図面の簡単な説明】
【図１】煽り戸開閉補助装置の第１実施形態を示す側面図である。
【図２】図１の煽り戸開閉補助装置に組み込まれているばねを示す模式図である。
【図３】図２のばねのばね特性を表わすグラフである。
【図４】煽り戸が閉じている場合における煽り戸開閉補助装置の第２実施形態を示す断面図である。
【図５】煽り戸が約９０°回転した場合における図１の煽り戸開閉補助装置を示す断面図である。
【図６】煽り戸が完全に開いた場合における図１の煽り戸開閉補助装置を示す断面図である。
【図７】第２実施形態の煽り戸開閉補助装置に組み込まれているコイルばねを示す模式図である。
【図８】図７のコイルばねのばね特性を表わすグラフである。
【図９】煽り戸開角度と操作力の関係を示すグラフである。
【図１０】第３実施形態の煽り戸開閉補助装置に組み込まれた竹の子ばねを示す、（ａ）は正面図、（ｂ）は側面図である。
【符号の説明】
１０  荷台床板
１２  煽り戸
２０，６０  煽り戸開閉補助装置
３０  リンク機構
３２  第１アーム
３４  第２アーム
３６  第３アーム
３６ｂ  ねじ部
４０  不等ピッチ圧縮コイルばね
５０  押付プレート
５２  調整ナット
７０  コイルばね
８０，９０  等ピッチ圧縮コイルばね
１００  竹の子ばね
【図１】
0004176194.tif 000002
【図２】
0004176194.tif 000003
【図３】
0004176194.tif 000004
【図４】
0004176194.tif 000005
【図５】
0004176194.tif 000006
【図６】
0004176194.tif 000007
【図７】
0004176194.tif 000008
【図８】
0004176194.tif 000009
【図９】
0004176194.tif 000010
【図１０】
0004176194.tif 000011